(57)【特許請求の範囲】
【請求項１】
１つまたは複数の物品を包装するためのカートンであって、上部パネルと、下部パネルと、前記下部パネルにヒンジ式に接続されて前記下部パネルから少なくとも前記上部パネルまで延在する第１側部パネルと、を備えており、前記上部パネルが、物品を収容するための上部開口部を備え、前記下部パネルが、前記上部開口部と垂直方向に位置合わせされて配置された下部開口部を備えており、前記上部パネルが、前記上部開口部の周辺部に沿って配置され、前記上部パネルにヒンジ式に接続された複数の保持タブを備え、前記下部パネルが、前記下部開口部の周辺部において該下部パネルにヒンジ式に接続された少なくとも１つの係合タブを備え、前記少なくとも１つの係合タブは、前記少なくとも１つの係合タブの一部が前記上部開口部を通って延出するように構成されており、前記少なくとも１つの係合タブは、前記保持タブのうちの２つの隣接するタブ間における隙間に配置されており、前記隙間には前記保持タブが全くないカートンにおいて、前記保持タブと前記少なくとも１つの係合タブとは、係合縁部をそれぞれ備えており、前記カートンの中に物品を保持するための保持構造体を画成しており、
前記第１側部パネルには、前記第１側部パネルを上下に横切るように延在する開封帯が形成されており、
前記開封帯の下端に前記少なくとも１つの係合タブが結合され、前記開封帯の上端につまみタブが設けられ、前記開封帯を取り除くことによって前記少なくとも１つの係合タブが取り除かれる、カートン。
【請求項２】
前記少なくとも１つの係合タブが、一対の係合タブを含む、請求項１に記載のカートン。
【請求項３】
前記係合タブが互いに対向するように配置される、請求項２に記載のカートン。
【請求項４】
第２側部パネルをさらに備え、前記係合タブのうちの第１の係合タブが前記第１側部パネルに形成された前記開封帯の下端にヒンジ留めされ、前記係合タブのうちの第２の係合タブが前記第２側部パネルにヒンジ留めされる、請求項２または３に記載のカートン。
【請求項５】
前記上部パネルより上に配置された最上部パネルをさらに備える、請求項４に記載のカートン。
【請求項６】
前記最上部パネルが前記カートンの頂部パネルを形成し、前記下部パネルが前記カートンの底部パネルを形成し、前記上部パネルが、前記頂部パネルと前記底部パネルとの間に介在する中間パネルを形成し、前記第１側部パネルが前記カートンの対向する側壁の一方を形成し、前記第１側部パネルが前記頂部パネルと前記底部パネルとの間に延在し、前記第２側部パネルが対向する側壁の他方に取り付けられている、請求項５に記載のカートン。
【請求項７】
第１パネルと、第２パネルと、前記第１パネルと前記第２パネルとの間に配設されて前記第１パネル及び前記第２パネルにそれぞれヒンジ式に接続された第３パネルと、前記第２パネルを挟んで前記第３パネルの反対側において前記第２パネルに隣接して配設されると共に前記第２パネルにヒンジ式に接続された第４パネルと、を備えるカートンを形成するためのブランクであって、前記第１パネルが物品を収容するための第１開口部を備え、前記第２パネルが、前記第１開口部と横方向に位置合わせされて配置された第２開口部を備え、前記第１パネルが、前記第１開口部の周辺部に沿って配置され、前記第１パネルにヒンジ式に接続された複数の保持タブを備え、前記第２パネルは、前記第２開口部の周辺部において前記第２パネルにヒンジ式に接続された少なくとも１つの係合タブを備え、前記少なくとも１つの係合タブは、組み立てた状態において前記少なくとも１つの係合タブの一部が前記第１開口部を通って延出するように構成されているブランクにおいて、前記少なくとも１つの係合タブは、前記保持タブのうちの２つの隣接するタブ間における隙間に位置しており、この隙間には前記保持タブが全くなく、前記保持タブと前記少なくとも１つの係合タブとがそれぞれ係合縁部を備えているとともに前記カートンの中に物品を保持するための保持構造体を画成し、
前記第４パネルには、前記第２パネル側からその反対側にかけて横切るように延在する開封帯が形成されており、
前記開封帯の前記第２パネル側の一端に前記少なくとも１つの係合タブが結合され、前記開封帯の前記一端の反対側の他端につまみタブが設けられ、前記開封帯を取り除くことによって前記少なくとも１つの係合タブが取り除かれる、ブランク。
【発明の詳細な説明】
【技術分野】
【０００１】
本発明は、カートン、およびカートンを形成するブランクに関し、より詳細には、但し排他的にではなく、物品を保持する手段および／またはカートンの中身にアクセスするための開封帯を有する、頂部を把持するタイプのカートンに関する。
【背景技術】
【０００２】
包装の分野では、複数の一次製品の容器を含む包装を消費者に提供することが要求されることが多く、このようなマルチパックは、出荷および流通、ならびに宣伝情報を表示するのに望ましい。コストおよび環境を考慮すると、このようなカートン又はキャリアは、できるだけ少ない材料から作成され、それらが形成される材料をできるだけ無駄にしない必要がある。別の考慮すべき問題は、包装の強度と、重量のある物品を保持し搬送する場合のその適正とである。
【０００３】
１つまたは複数の物品の上部に係合するカートンを提供することが知られており、このようなカートンは、頂部把持カートン（ｔｏｐ  ｇｒｉｐｐｉｎｇ  ｃａｒｔｏｎ）と呼ばれることが多い。このようなカートンは、包装されている物品に／または各々の物品に確実にしっかりと係合することが望ましい。また、包装からその物品／または各々の物品を分離するためのアクセス手段を設けることが望ましい。
【発明の概要】
【発明が解決しようとする課題】
【０００４】
本発明は、従来技術の問題を克服する、あるいは少なくとも軽減させることを目的としている。
【課題を解決するための手段】
【０００５】
本発明の第１の態様によって、１つまたは複数の物品を包装するためのカートンが提供され、このカートンは、第１パネルと第２パネルとを備えており、第１パネルは、物品を収容するための第１開口部を備え、第２パネルは、第１開口部に位置合わせされて配置された第２開口部を備えており、第１パネルは、第１開口部の周辺部に配置され、第１パネルにヒンジ式に接続された１つまたは複数の保持タブを備えており、第２パネルは、第２開口部の周辺部において第２パネルにヒンジ式に接続された少なくとも１つの係合タブを備えており、この係合タブは、一部が第１開口部を通って延出するように構成されており、少なくとも１つの係合タブは、物品保持タブのうちの第１のタブと第２のタブとの間にある隙間に位置しており、この場合前記１つまたは複数の物品保持タブと少なくとも１つの係合タブとのそれぞれは、係合縁部を備え、カートンの中に物品を保持するための保持構造体を画成する。
【０００６】
好ましくは、少なくとも１つの係合タブに結合した開封帯をさらに備える。
【０００７】
好ましくは、第１パネルは、一対の係合タブを備える。
【０００８】
好ましくは、一対の係合タブは、互いに対向するように配置される。
【０００９】
好ましくは、一対の係合タブのうちの第１のタブは第３パネルにヒンジ留めされ、一対の係合タブのうちの第２のタブは第４パネルにヒンジ留めされる。
【００１０】
好ましくは、一対の係合タブの一方または両方が、各々の開封帯に結合されることで、各々の開封帯のうちの１つを取り除くことで、それが結合している係合タブを取り除くことになる。
【００１１】
好ましくは第３および第４パネルに結合した第５パネルを備え、この第５パネルは、第１および第２パネルより上の一定の高さの所に配置される。
【００１２】
好ましくは、第５パネルは管状構造体の頂部パネルを形成し、第１パネルは底部パネルを形成し、第２パネルが中間パネルを形成し、第３および第４パネルが対向する側壁を形成する。
【００１３】
好ましくは、少なくとも１つの開封帯は、第３および／または第４パネルを横切って第１パネルと第２パネルとの間に延在する。
【００１４】
本発明の第２の態様によって、１つまたは複数の物品を包装するためのカートンが提供され、このカートンは、対向する側部に第３パネルと第４パネルとによってそれぞれヒンジ式に接続された第１パネルと第２パネルとを備えることで管状構造体を形成し、第１パネルは、前記１つまたは複数の物品の各々を収容するための少なくとも１つの開口部を備え、第１パネルは、このパネルから切り取られるとともに少なくとも１つの開口部の周辺部に配置されている少なくとも１つの係合タブを備えており、この少なくとも１つの係合タブは、物品を支持するための係合縁部を備えており、第３および／または第４パネルが開封帯を備え、前記少なくとも１つの係合タブの１つまたは複数が前記開封帯に結合されることで、開封帯を第３および／または第４パネルから移動したり又は取り除かれたりすると、そこに結合された１つまたは複数の係合タブを移動させるか、又は取り除くことになる。
【００１５】
好ましくは、第２パネルは、第１パネルの少なくとも１つの開口部の各々に位置合わせされて配置された少なくとも１つの第２開口部を備える。
【００１６】
好ましくは、少なくとも１つの第２開口部は、その周辺部に配置された１つまたは複数の保持タブを備え、この保持タブは、物品と係合するための係合縁部を有する。
【００１７】
好ましくは、前記係合タブのうちの少なくとも１つは、一対の保持タブ間にある凹部または隙間に収容される。
【００１８】
好ましくは、少なくとも１つの保持タブと少なくとも１つの係合タブとは、協働して、カートンの中に物品を保持するための保持構造体を画成する。
【００１９】
好ましくは、カートンは、該第３または第４パネルの一方と一体式に形成されたディスプレイパネルを備え、このパネルは第１または第２パネルの高さを超えて延在する。
【００２０】
本発明の第３の態様によって、第１パネルと第２パネルとを形成するためのパネルを備えるカートンを形成するためのブランクが提供され、第１パネルは物品を収容するための第１開口部を備え、第２パネルは、第１開口部と位置合わせされて配置された第２開口部を備え、第１パネルは、第１開口部の周辺部に配置されているとともに第１パネルにヒンジ式に接続された１つまたは複数の保持タブを備え、第２パネルは、第２開口部の周辺部において第２パネルにヒンジ式に接続された少なくとも１つの係合タブを備えており、この係合タブは、組み立てた状態で一部が第１開口部を通って延出するように構成されており、少なくとも１つの係合タブは、物品保持タブの第１のタブと第２のタブとの間の隙間に位置しており、該１つまたは複数の物品保持タブおよび少なくとも１つの係合タブそれぞれは、係合縁部を備え、カートンの中に物品を保持するための保持構造体を画成する。
【００２１】
本発明の第４の態様によって、管状構造体を形成するために、第３パネルと第４パネルとによって対向する側部にそれぞれヒンジ式に接続された第１パネルと第２パネルとを形成するパネルを備えるカートンを形成するためのブランクが提供され、第１パネルは、前記１つまたは複数の物品の各々をそれぞれ収容するための少なくとも１つの開口部を備え、第１パネルは、そこから切り取られるとともに少なくとも１つの開口部の周辺部に配置されている少なくとも１つの係合タブを備えており、この少なくとも１つの係合タブは、物品を支持するための係合縁部を備えており、第３および／または第４パネルが開封帯を備え、前記少なくとも１つの係合タブのうちの１つまたは複数が該開封帯に結合されることで、組み立てた状態において、開封帯を第３および／または第４パネルから移動させたり取り除いたりすると、開封帯に結合された１つまたは複数の係合タブを移動させたり取り除く。
【００２２】
本発明の例示の実施形態を添付の図面を参照して以下に記載する。
【図面の簡単な説明】
【００２３】
【図１】本発明の第１の実施形態によるカートンを形成するブランクの形状の、上方から見た平面図である。
【図２】図１のブランクから形成されたカートンの上方から見た斜視図である。
【図３】図２に示されるカートンの第１の側部の側部図である。
【図４】図２に示されるカートンの第２の側部の側部図である。
【図５】図２に示されるカートンの下方から見た斜視図である。
【図６】図２に示されるカートンの端面図である。
【図７】第２の実施形態によるカートンを形成するためのブランクの上方から見た平面図である。
【図８】図７のブランクから形成されたカートンの上方から見た斜視図である。
【図９】図８に示されるカートンの側部の側部図である。
【図１０】図８に示されるカートンの端面図である。
【図１１】図８に示されるカートンの下方から見た斜視図である。
【発明を実施するための形態】
【００２４】
包装、ブランクおよびカートンの特定の実施形態の詳細な記載を本明細書に開示する。開示される実施形態は本発明の所定の態様を実施することが可能な方法の単なる例であり、本発明を具現化することができる全ての方法を完全に列記したものを表してはいないことを理解されたい。実際、本明細書に記載される包装、ブランクおよびカートンは、様々な形態で、および代替の形態で具現化することができることを理解されたい。図面は、必ずしも縮尺通りではなく、いくつかの特徴は、特定の構成要素の詳細を示すために拡大または縮小される場合がある。本開示を不明瞭にするのを避けるために、よく知られた構成要素、材料または方法は必ずしも詳細には記載していない。本明細書に開示されるいずれの特定の構造および機能の詳細も限定として解釈すべきではなく、単に特許請求の範囲の根拠として、および当業者が本発明を多様に利用するための教示としての代表的な基礎として解釈すべきである。
【００２５】
図１を参照すると、それらに限定するものではないが瓶または缶などの１つまたは複数の一次製品を包装するためのカートン９０を形成するブランク１０の平面図が示されており、この一次製品は今後物品Ｂと呼ぶ。
【００２６】
ブランク１０は、隣合わせにヒンジ接続した一連のパネルを備える。第１側部パネル１２は、折り目１３に沿って頂部パネル１４に接合している。頂部パネル１４は、折り目１５に沿って第２側部パネル１６にヒンジ接合している。第２側部パネル１６は、折り目１７に沿って底部パネル１８に接合している。底部パネル１８は、折り目１９に沿って接着パネル２０に接合している。接着パネル２０は、折り目２１に沿って中間パネル２２に接合しされている。中間パネル２２は、折り目２３に沿って接着フラップ２４にヒンジ接続している。
【００２７】
底部パネル８は、３つの物品収容開口部３６を備えており、これら物品収容開口部３６のそれぞれは、ほぼ同一の構造である。
【００２８】
物品収容開口部３６は、少なくとも一部において物品係合タブ３４によって画成されている。物品係合タブ３４は、図示した実施形態において、折り目によって接着パネル２０にヒンジ式に接続されているが、これは代替として底部パネル１８にヒンジ接続される場合がある。好ましくは、係合タブ３４と接着パネル２０との間のヒンジ式の接続部は、底部パネル１８を接着パネル２０にヒンジ接続する折り目１９と同一直線上にある。物品係合タブ３４は、第１端部に配置された係合縁部６２を備えており、この第１端部は第２の端部と対向しており、この第２の端部に沿って、ヒンジ接合した接続部１９が位置する。任意選択で、第１端部が面取りした角を有することで、係合タブ３４を上部の物品収容開口部４６に挿入し易くすることができ、これについては以下でより詳細に記載する。
【００２９】
物品収容開口部３６は、親指状のタブ３２によって遮られる、あるいは少なくとも部分的に親指状のタブ３２によって形成されている。親指状のタブ３２は、開封帯２６に結合される、またはそれと一体式に画成される。開封帯２６は、頂部パネル１４と第２側部パネル１６との間のヒンジ式の接続部１５から、第１側部パネル１２と底部パネル１８との間のヒンジ式の接続部１７まで延在している。開封帯２６は、一対のほぼ平行な弱くされた切断ライン２８を備える。開封帯２６は、第２の上部の親指状のタブ３０を備えており、この親指状のタブ３０は、一部において第２側部パネル１６から切り取られ、一部が頂部パネル１４から切り取られる。
【００３０】
中間パネル２２は、第２の、または上部の物品収容開口部４６を３つ備えている。上部の物品収容開口部４６それぞれは、図１のブランク１０が図２から図６に示されるカートンに組み立てられたときに、これら上部の物品収容開口部４６がほぼ垂直方向に、下部の、または第１の物品収容開口部３６とそれぞれ位置合わせされるように配置されている。
【００３１】
好ましくは、上部の物品収容開口部４６それぞれは蝶ネクタイ状形状であり、ほぼ円形の中心部分と、中心部分の対向する側部に配置された台形翼状部分４４、４８とを有する。翼状部分の第１の部分４８は、接着パネル２０と中間パネル２２との間のヒンジライン２１から延出している。翼状部分の第２の部分４４は、中間パネル２２と接着フラップ２４との間のヒンジ接続部２３まで、またはそこから延出している。
【００３２】
１つまたは複数の保持タブ３８が、上部物品収容開口部４６それぞれの周辺部に配置される。好ましくは、少なくとも１つの保持タブ３８は、物品収容開口部４６の中心部分の周辺部に位置している。保持タブ３８は、折り目４０によって中間パネル２２にヒンジ式に接続されており、この折り目は、折り目ライン、切り取り線、またはそれらを組み合わせたものなどの弱くされたラインを備えることができる。
【００３３】
好ましい実施形態では、保持タブ３８は、物品収容開口部４６の中心部分に、第１側部に５つ、実質的に対向する第２側部に５つ位置している。物品収容開口部４６の中心部分の一部には保持タブ３８がないため、隙間、切り抜き部または凹部が画成される。凹部または隙間によって当接縁部４２、４２が形成される。凹部または隙間は、係合タブ３４の一部を収容するように構成されている。係合タブ３４は、凹部の当接縁部４２に当接することができ、および／または翼状部分４８内に部分的にまたは完全に収容される場合もあり、この翼状部分４８は、この隙間から任意選択で接着パネル２０まで完全に延在している。
【００３４】
接着フラップ２４は、３つの取り外し可能部分５２を備えており、これら取り外し可能部分５２それぞれは、接着フラップ２４を横切るようにそれぞれ延在する一対の切断ライン５０、５０によって画成されている。より具体的には、取り外し可能部分５２それぞれの切断ライン５０のそれぞれは、それぞれの翼状部分４４から接着フラップ２４の自由縁部まで延在している。切断ライン５０それぞれは、切り取り線、ハーフカット、いくつかの同一直線上のスリット、またはそれらの組み合わせを備えることができる。取り外し可能部分５２は、ブランク１０がカートンに組み立てられたときに、それら取り外し可能部分５２が開封帯２６とそれぞれ実質的に位置合わせされて、面が接触する関係になるように配置されている。
【００３５】
図２、図３、図４、図５および図６に示されるカートンの構造に戻ると、カートン９０は、直線機（ｓｔｒａｉｇｈｔ  ｌｉｎｅ  ｍａｃｈｉｎｅ）での一連の連続する折り曲げ作業によって形成することができ、その結果、カートン９０はその構造を達成するために回転又は反転させる必要がないことが想定される。折り曲げ工程は、以下に記載されるものに限定されないが、特定の製造要件に従って変えることもできる。
【００３６】
接着フラップ２４と中間パネル２２とが折り目２１の周りに折り曲げられて、接着パネル２０と底部パネル１８とに重なる。接着剤「Ｇ」が接着フラップ２４に塗布され、第２側部パネル１６、頂部パネル１４および第１側部パネル１２が折り目１７の周りに折り曲げられることで、第２側部パネル１６が接着フラップ２４と接触するようになり、そこに固定される。任意選択で、圧力を加えることで接着フラップを第２側部パネル１６に固定することができる。この手段によって、取り外し可能部分５２が、開封帯２６の内面にそれぞれ固定される。
【００３７】
この後、接着剤「Ｇ」が接着パネル２０に塗布され、その後に第１側部パネル１２が折り目１３の周りに折り曲げられることで、第１側部パネル１２が接着パネル２０の上に置かれるとともに接着パネル２０と面接触する関係になり、このことによって第１側部パネル１２を接着パネル２０の外面に固定する。
【００３８】
これにより平坦な折り畳まれたカートンが形成され、このカートンは、第１側部パネル１２と第２側部パネル１６とにほぼ直交するように頂部パネル１４を折り目１３の周りにある程度広げることによって、略管状の構造体に組み立てられ得る。これにより第１側部パネル１２、第２側部パネル１６、頂部パネル１４および底部パネル１８を備えた管状の構造体が形成される。
【００３９】
ブランク１０から形成されたカートン９０が、図２から図６に示されている。上部の親指状のタブ３０が、頂部パネル１４の高さを超えて、すなわち頂部パネル１４の高さより上に突出していることを、図２において、はっきりと見ることができる。
【００４０】
下部の親指状のタブ３２が、底部パネル１８の高さを超えて、すなわちこの高さより下に突出していることを、図３において見ることができる。
【００４１】
第１側部パネル１２は、図４に最もよく示されており、このパネルによって宣伝広告パネルまたはディスプレイパネルが提供される。宣伝広告パネルは、それが、カートン９０の中に収容された物品Ｂのいくつかを部分的に覆い隠すように構成されている。好ましい実施形態においては、宣伝広告パネルは、カートン９０の中の３つの物品Ｂのうち２つを部分的に覆い隠している。
【００４２】
図５および図８は、上部物品収容開口部４６に収容されている係合タブ３４を示している。図５は、物品Ｂを取り出したカートン９０を下から見た図を示している。図６は、カートン９０の端面図であり、保持タブ３８が中間パネル２２の面より外に上向きに移動されている。保持タブ３８は、物品Ｂのフランジまたは突出部のすぐ下に係合する。例えば図示される実施形態では保持タブ３８は、物品Ｂのねじ込みキャップ栓Ｓの下面に係合している。係合タブ３４は、上部物品収容開口部４６の中に収容され、係合縁部６２は、物品Ｂのフランジまたは突出部の下面に係合する。図示の実施形態では、係合タブ３４は、ねじ込みキャップ栓Ｓの下に係合する。係合タブ３４は好ましくは、第１側壁１２に対して鋭角になるように配置され、係合タブ３４は接着パネル２０を介してこの第１側壁１２にヒンジ式に接続されている。
【００４３】
次に図７から図１１を参照すると、そこには本発明の代替の実施形態が示されている。例示される第２の実施形態では、同様の数字は可能であれば、同様の部分を表すのに使用されるが、「１００」という数字が前に付けられているのは、これらの特徴がこの第２の実施形態に属することを示している。
【００４４】
代替の実施形態は、最初の実施形態と多くの共通の特徴を共有しており、そのため図１から図６に示される実施形態との相違点のみをより詳細に記載する。
【００４５】
図７は、第２の図示された実施形態によるブランク１１０を示している。
【００４６】
ブランク１１０は、隣合わせにヒンジ接続した一連のメインパネルを備えており、このメインパネルは、第１側部パネル１１２、折り目１１３によって第１側部パネル１１２にヒンジ接続した頂部パネル１１４、折り目１１５によって頂部パネル１１４にヒンジ接続した第２側部パネル１１６、折り目１１７によって第２側部パネル１１６にヒンジ接続した底部パネル１１８、折り目１１９によって底部パネル１１８にヒンジ接続した接着パネル１２０、折り目１２１によって接着パネル１２０にヒンジ接続した中間パネル１２２、および折り目１２３によって中間パネル１２２にヒンジ接続した接着フラップ１２４を備える。
【００４７】
第２側部パネル１１６は、３つの開封帯１２６を備えており、そのそれぞれが、一部において第２側部パネル１１６から切り取られるとともに一部において頂部パネル１１４から切り取られる親指状のタブ１３０を備えており、このつまみは開封帯１２６それぞれにつながっている。
【００４８】
底部パネル１１８は、３つの係合タブ１３７を備えており、このつまみは底部パネルから切り取られ、折り目１１７によって３つの開封帯１２６にそれぞれヒンジ式に接続されている。係合タブ１３７は、これら係合タブ１３７がヒンジ接続される開封帯１２６とそれぞれ連続しているとともに一体とされ、開封体１２６に対してヒンジ接続されており、これによって開封帯１２６それぞれがカートン１９０から取り除かれるとき（図８から図１１を参照）に、各々の係合タブ１３７も取り除かれる。言うまでもないが、開封帯１２６にそれぞれ固定された取り外し可能部分１５２もまた、開封帯１２６を取り除く際に接着フラップ１２４から取り除かれる。
【００４９】
組み立てられたカートンでは、係合タブ１３７は、中間パネル１２２内にある物品収容開口部１４６の中の隙間または凹部１４３内に収容され、物品Ｂは、各々の係合タブ１３７、各々の第１係合タブ１３４および各々の保持つまみ１３８によってカートン１９０内の所定の位置に維持される。
【００５０】
第１係合タブ１３４は、第１側壁１１２と物品Ｂとの間に位置している。第２係合タブ１３７は、第２側壁１１６と物品Ｂとの間に位置している。
【００５１】
一対それぞれの第１係合タブ１３４と第２係合タブ１３７とは、物品Ｂの対向する側部になるように構成されている。一対それぞれの第１係合タブ１３４と第２係合タブ１３７とは、底部パネル１１８から切り取られ、下部物品収容開口部１３６それぞれの中に延在し、互いに対して正反対にある。一対それぞれの第１係合タブ１３４と第２係合タブ１３７とが、接着パネル１２０及び第２側部パネル１１６の隣接する側縁部それぞれにヒンジ接続することで、第１係合タブ１３４のヒンジ式の接続部が、折り目１１９と同一線上になり、第２係合タブ１３７のヒンジ式の接続部が、折り目１１７と同一線上になる。
【００５２】
本発明の範囲内で様々な変更を行なうことが可能であり、例えばパネルおよび開口部のサイズおよび形状を、異なるサイズまたは形状の物品を収容するように調節することができることを理解されたい。
【００５３】
本明細書で使用されているように、「頂部」、「底部」、「前方」、「後方」、「端部」、「側部」、「内側」、「外側」、「上部」および「下部」のような方向を表す語は、各々のパネルをこのような方向に限定するのではなく、単にこれらパネルを互いに区別する働きをするだけであることが理解される。ヒンジ式の接続部に対するいかなる言及も、必ずしも単独の折り目だけを指すものと解釈すべきではなく、実際にはヒンジ式接続部は、本発明の範囲から逸脱することなく、以下の、短いスリット、脆弱線または折り目のうちの１つまたは複数から形成することが可能であることが想定される。
【符号の説明】
【００５４】
１０、１１０  ブランク
１２、１１２  第１側部パネル
１３、１１３  折り目
１４、１１４  頂部パネル
１５、１１５  折り目
１６、１１６  第２側部パネル
１７、１１７  折り目
１８、１１８  底部パネル
１９、１１９  折り目
２０、１２０  接着パネル
２１、１２１  折り目
２２、１２２  中間パネル
２３、１２３  折り目
２４、１２４  接着フラップ
２６、１２６  開封帯
２８、１２８  切断ライン
３０、１３０  上部の親指状のつまみ
３２  下部の親指状のつまみ
３４、１３４  係合つまみ
３６、１３６  物品収容開口部
３８、１３８  保持つまみ
４０  折り目
４２、１４２、１４３  当接縁部
４４、４８、１４４、１４８  上部物品収容開口の台形の部分
４６、１４６  上部物品収容開口部
５０、１５０  切断ライン
５２、１５２  取り外し可能部分
６２  係合縁部
９０、１９０  カートン
１３７  係合つまみ
【図１】
0005572667.tif 000002
【図２】
0005572667.tif 000003
【図３】
0005572667.tif 000004
【図４】
0005572667.tif 000005
【図５】
0005572667.tif 000006
【図６】
0005572667.tif 000007
【図７】
0005572667.tif 000008
【図８】
0005572667.tif 000009
【図９】
0005572667.tif 000010
【図１０】
0005572667.tif 000011
【図１１】
0005572667.tif 000012